(57)【要約】【課題】部品点数の増加を抑えつつ連結突部の強度不足を解消することが可能なシャッター用ロック装置の提供を目的とする。【解決手段】本発明のシャッター用ロック装置２０は、巻取シャフト１２と同軸上に配置されて、巻取シャフト１２の端部から突出した支持シャフト１１が中心を貫通し、巻取シャフト１２の端部に固定された薄板のプレス成形品である円筒ドラム１３と一体回転可能に連結されるラチェットギヤ２６を備え、ラチェットギヤ２６と円筒ドラム１３とを一体回転可能に連結するための連結突部２６Ｂを、ラチェットギヤ２６を構成する板金の一部を曲げ起こして形成し、その連結突部２６Ｂを円筒ドラム１３に凹凸係合可能とした。【選択図】図３
2013167087.tif 000002
【特許請求の範囲】
【請求項１】
シャッターカーテンの巻取芯部材と同軸上に配置されて、前記巻取芯部材の端部から突出した支持シャフトが中心を貫通し、前記巻取芯部材の端部に固定された円筒ドラムと一体回転可能に連結されるラチェットギヤを備え、そのラチェットギヤの回転をロックすることで、前記シャッターカーテンを任意の開閉位置で保持可能なシャッター用ロック装置において、
前記ラチェットギヤと前記円筒ドラムとを一体回転可能に連結するための連結突部を前記ラチェットギヤに一体形成し、その連結突部を前記円筒ドラムに凹凸係合可能としたことを特徴とするシャッター用ロック装置。
【請求項２】
前記連結突部は、前記ラチェットギヤを構成する板金の一部を曲げ起こして形成されると共に、前記支持シャフトが貫通するシャフト挿通孔の内周縁を周方向に均等分した複数位置に設けられたことを特徴とする請求項１に記載のシャッター用ロック装置。
【請求項３】
前記連結突部は、前記ラチェットギヤの径方向で扁平な突片状をなしたことを特徴とする請求項１又は２に記載のシャッター用ロック装置。
【発明の詳細な説明】
【技術分野】
【０００１】
本発明は、シャッターカーテンの巻取芯部材の端部に固定された円筒ドラムと同軸上に配置されて、円筒ドラムと一体回転可能に連結されるラチェットギヤを備え、そのラチェットギヤの回転をロックすることで、シャッターカーテンを任意の開閉位置で保持可能なシャッター用ロック装置に関する。
【背景技術】
【０００２】
この種の従来のシャッター用ロック装置と巻取芯部材との連結構造としては、円筒ドラムの端面から突出した連結突部を、ラチェットギヤに貫通形成された連結孔に挿入して一体回転可能に連結した構成が考えられる。ところが、一般的に円筒ドラムは、薄板のプレス加工（例えば、深絞り成形）やアルミダイカスト成形によって製造されており、円筒ドラムから直接曲げ起こして形成された連結突部は強度不足であった。
【０００３】
そのため、従来は、十分な強度を持った板厚の板金から連結突部を曲げ起こしてなるアタッチメント部品を円筒ドラムの端面に取り付けていた（特許文献１参照）。
【先行技術文献】
【特許文献】
【０００４】
【特許文献１】特開２０１０−２４２２９２号公報（段落［００２６］，第３図参照）
【発明の概要】
【発明が解決しようとする課題】
【０００５】
ところが、上述した従来の連結構造では、アタッチメント部品によって部品点数が増加するという問題があった。
【０００６】
本発明は、上記事情に鑑みてなされたもので、部品点数の増加を抑えつつ連結突部の強度不足を解消することが可能なシャッター用ロック装置の提供を目的とする。
【課題を解決するための手段】
【０００７】
上記目的を達成するためになされた請求項１の発明に係るシャッター用ロック装置は、シャッターカーテンの巻取芯部材と同軸上に配置されて、巻取芯部材の端部から突出した支持シャフトが中心を貫通し、巻取芯部材の端部に固定された円筒ドラムと一体回転可能に連結されるラチェットギヤを備え、そのラチェットギヤの回転をロックすることで、シャッターカーテンを任意の開閉位置で保持可能なシャッター用ロック装置において、ラチェットギヤと円筒ドラムとを一体回転可能に連結するための連結突部をラチェットギヤに一体形成し、その連結突部を円筒ドラムに凹凸係合可能としたところに特徴を有する。
【０００８】
なお、本発明のシャッター用ロック装置は、ラチェットギヤの連結突部が、薄板のプレス加工品やアルミダイカスト成形品である円筒ドラムと凹凸係合可能であればよく、ラチェットギヤが凹凸係合する相手を薄板のプレス加工品やアルミダイカスト成形品である円筒ドラムに限定するものではない。
【０００９】
請求項２の発明は、請求項１に記載のシャッター用ロック装置において、連結突部は、ラチェットギヤを構成する板金の一部を曲げ起こして形成されると共に、支持シャフトが貫通するシャフト挿通孔の内周縁を周方向に均等分した複数位置に設けられたところに特徴を有する。
【００１０】
請求項３の発明は、請求項１又は２に記載のシャッター用ロック装置において、連結突部は、ラチェットギヤの径方向で扁平な突片状をなしたところに特徴を有する。
【発明の効果】
【００１１】
請求項１の発明によれば、ラチェットギヤに連結突部を一体形成し、その連結突部を巻取芯部材の端部に固定された円筒ドラムと凹凸係合可能とした。ラチェットギヤは、円筒ドラムよりも強度が高いから、そのラチェットギヤに連結突部を一体形成することで連結突部の強度不足を解消することができる。ここで、連結突部と凹凸係合する凹部を円筒ドラムに設けることになるが、連結突部を円筒ドラムから直接曲げ起こした場合と比較すると、凹部を設けた場合の方が強度を確保することが容易であるから、円筒ドラムに対して別途、補強用の部品を取り付ける必要はない。これにより、部品点数の増加を抑えつつ連結突部の強度不足を解消することが可能になる。ここで、ラチェットギヤに一体形成する連結突部の数や配置は任意であるが、請求項２のように、ラチェットギヤを構成する板金の一部を曲げ起こして連結突部を形成すると共に、連結突部をラチェットギヤのうちシャフト挿通孔の内周縁を周方向に均等分した複数位置に設けた構成が特に好ましい。また、連結突部は、軸状でもよいし、請求項３の発明のようにラチェットギヤの径方向で扁平な突片状をなしていてもよい。
【図面の簡単な説明】
【００１２】
【図１】本発明の一実施形態に係るシャッター用ロック装置を備えたシャッター巻取装置の斜視図
【図２】シャッター巻取装置とシャッター用ロック装置の斜視図
【図３】シャッター用ロック装置及び円筒ドラムの後側斜視図
【図４】シャッター用ロック装置の分解斜視図
【図５】シャッターカーテンを閉操作している状態のシャッター用ロック装置の側断面図
【図６】シャッターカーテンを開操作している状態のシャッター用ロック装置の側断面図
【図７】ロック解除操作した直後のシャッター用ロック装置の側断面図
【図８】ロック解除状態を維持しているシャッター用ロック装置の側断面図
【図９】シャッター用ロック装置及びシャッター巻取装置の固定構造を示す斜視図
【図１０】シャッター用ロック装置及びシャッター巻取装置の固定構造を示す側断面図
【発明を実施するための形態】
【００１３】
以下、本発明の一実施形態を図１〜図８に基づいて説明する。図１に示したシャッター巻取装置１０は、例えば、住宅の窓（図示せず）の上縁部に取り付けられるものであって、シャッターカーテン１５を巻き取るための巻取シャフト１２（本発明の「巻取芯部材」に相当する）を支持シャフト１１にて回転可能に支持した構造をなしている。また、シャッター巻取装置１０は、巻き取ったシャッターカーテン１５を収納するためのシャッターケース（図示せず）内に収容されており、支持シャフト１１は、シャッターケースの左右の両側壁間に差し渡された状態で支持されている。
【００１４】
図３に示すように、巻取シャフト１２は、巻取ロール１２Ｄの両端部（図３には、巻取ロール１２Ｄの一端部のみが示されている）の内側に一端閉塞の円筒ドラム１３を嵌合してなる。円筒ドラム１３は、例えば、アルミニウムの薄板金をプレス成形したものであり、巻取ロール１２Ｄの内周面に嵌合する外筒体１３Ａと支持シャフト１１の外周面に嵌合する内筒体１３Ｂとを備えている。また、内筒体１３Ｂと外筒体１３Ａの一端部同士を連絡した環状の閉塞壁１３Ｃが巻取シャフト１２の軸方向の両端面を構成している。円筒ドラム１３のうち外筒体１３Ａの所定箇所には螺子孔１３Ａ１が形成され、その螺子孔１３Ａ１に対応させて巻取ロール１２Ｄには螺子挿通孔１２Ａが貫通形成されている。そして、螺子挿通孔１２Ａに挿通した螺子Ｎ１（図１参照）を円筒ドラム１３の螺子孔１３Ａ１に締め付けて、巻取ロール１２Ｄと円筒ドラム１３とが一体回転可能に固定されている。
【００１５】
図３に示すように、円筒ドラム１３のうち内筒体１３Ｂの内側はセンター孔１３Ｂ１となっている。また、本発明のシャッター用ロック装置２０が配置される方の円筒ドラム１３の閉塞壁１３Ｃには、凹凸係合孔１３Ｃ１が形成されている。凹凸係合孔１３Ｃ１は、閉塞壁１３Ｃのうちセンター孔１３Ｂ１の周りを均等分した複数位置（例えば、３箇所）に形成されている。また、凹凸係合孔１３Ｃ１は、後述する連結突部２６Ｂの断面形状に対応して長孔形状をなしている。なお、本実施形態の凹凸係合孔１３Ｃ１は周囲が閉じた形状であるが、センター孔１３Ｂ１の内側に開放した形状でもよい。また、凹凸係合孔１３Ｃ１の形状は特に限定するものではなく、後述する連結突部２６Ｂの断面形状に対応していればよい。
【００１６】
支持シャフト１１は、円筒パイプ構造をなし、巻取ロール１２Ｄの内側に嵌合した複数個の円筒ドラム１３のセンター孔１３Ｂ１を貫通して巻取シャフト１２の両端面より両横方向に延びている。そして、支持シャフト１１の両端部が図示しない取付ベースに回転不能にそれぞれ固定され、それら取付ベースがシャッターケース（図示せず）の左右の両側壁に固定されている。
【００１７】
巻取シャフト１２の内部には、図示しないトーションコイルバネが支持シャフト１１に巻回して設けられており、このトーションコイルバネは一端が円筒ドラム１３に図示しないネジを介して固定され、他端が支持シャフト１１にネジ等で固定されている。これにより、巻取シャフト１２は、シャッターカーテン１５を巻き取る方向に付勢されている。
【００１８】
シャッターカーテン１５は、複数の帯状金属板を連結してなる公知なキャタピラ構造になっている。また、シャッターカーテン１５の横幅は、巻取シャフト１２の軸長より大きくなっている。そして、シャッターカーテン１５の巻回長方向の一端部を巻取シャフト１２の外周面に宛がい、巻取シャフト１２の両端面からシャッターカーテン１５が両横方向に張り出した状態にして、シャッターカーテン１５が巻取シャフト１２に螺子止めされている。具体的には、前記した円筒ドラム１３の周面の螺子孔１３Ａ１に締め付けられる螺子Ｎ１を、シャッターカーテン１５の一端部に備えた螺子挿通孔（図示せず）にも挿通して、巻取ロール１２Ｄとシャッターカーテン１５とが円筒ドラム１３の螺子孔１３Ａ１に共締めされている。
【００１９】
また、シャッター巻取装置１０が取り付けられる住宅の窓の両側縁部には、図示しないシャッターレールがそれぞれ備えられている。そして、シャッターカーテン１５のうち巻取シャフト１２から下方に延びた部分の両側部の複数箇所が、それらシャッターレールに係合した状態に維持され、シャッターカーテン１５の下端部を下方に手動で引くことにより、巻取シャフト１２の回転を伴いながらシャッターカーテン１５が巻取シャフト１２から引き出される。
【００２０】
シャッター巻取装置１０には、シャッターカーテン１５を任意の開閉位置で保持（具体的には、任意の位置まで閉めて、そこから上方に開かないようにロック）するためのシャッター用ロック装置２０が備えられている。
【００２１】
図２に示すように、シャッター用ロック装置２０は、偏平円盤状のハウジング２１を備えている。ハウジング２１の軸中心には、シャフト挿通孔２１Ａが貫通形成され、その内側に支持シャフト１１が遊嵌状態に挿通されている（図１参照）。
【００２２】
ハウジング２１は、支持シャフト１１が直交した前側端面２１Ｆと後側端面２１Ｒとを有し、前側端面２１Ｆが巻取シャフト１２の一端面（即ち、円筒ドラム１３の閉塞壁１３Ｃ）に対向配置されている。また、シャッター用ロック装置２０全体の外径でもあるハウジング２１の外径は、巻取シャフト１２の外径より若干小さくなっている。そして、シャッターカーテン１５が巻取シャフト１２に巻き取られて円筒状になった場合には、その円筒状のシャッターカーテン１５の内側に配置される。
【００２３】
ハウジング２１の後側端面２１Ｒを構成する壁部は、ハウジング２１の側壁２１Ｓと一体形成された後端壁２１Ｘと、その後端壁２１Ｘに宛がわれて螺子Ｎ２によって固定された後側板金６０とで構成されており、後側板金６０のうち、シャフト挿通孔２１Ａを間に挟んだ開口縁の対向位置からは１対の固定片２２，２２が後方に曲げ起こされている。各固定片２２，２２のうち後側板金６０の本体部分との間の屈曲部における折り曲げ線方向の中間部には、それぞれ肉抜き孔２２Ｃが形成されている。各固定片２２，２２にはそれぞれボルト挿通孔２２Ｂ，２２Ｂが貫通成形されている。これらボルト挿通孔２２Ｂ，２２Ｂは長孔形状となっている。そして、支持シャフト１１を径方向で貫通した取付孔１１Ａとボルト挿通孔２２Ｂ，２２ＢとにボルトＮ３（図１参照）が挿通されてその先端部にナット（図示せず）を締め付けることでハウジング２１が支持シャフト１１に固定されている。なお、ボルト挿通孔２２Ｂ，２２Ｂを長孔形状にしたことで、支持シャフト１１に対するシャッター用ロック装置２０の取付位置を支持シャフト１１の軸方向で調整することが可能になる。従って、支持シャフト１１の軸方向における円筒ドラム１３の位置の若干のばらつきや部品の製造上のばらつきをボルト挿通孔２２Ｂ，２２Ｂで吸収して、連結突部２６Ｂと凹凸係合孔１３Ｃ１とを確実に凹凸係合させることが可能になる。
【００２４】
図３に示すように、ハウジング２１のうち前側端面２１Ｆを構成する壁部は蓋体２３になっている。蓋体２３はハウジング２１の本体に螺子Ｎ２にて固定され、中心部にシャフト挿通孔２１Ａより径が大きな前面孔２３Ａを有している。そして、その前面孔２３Ａを介して次述するラチェットギヤ２６に備えた複数の連結突部２６Ｂが巻取シャフト１２の一端面に向かって突出している。
【００２５】
図４は、シャッター用ロック装置２０の分解斜視図である。同図に示すように、ハウジング２１の内部にはラチェットギヤ２６がシャフト挿通孔２１Ａと同軸上に配置されている。ラチェットギヤ２６は、十分な強度を有した板金から構成されて円板状をなし、中心にシャフト挿通孔２６Ａを有している。また、ラチェットギヤ２６のうち、シャフト挿通孔２６Ａの周りを均等分した複数位置（例えば３箇所）には、連結突部２６Ｂが形成されている。これら連結突部２６Ｂは、ラチェットギヤ２６を構成する板金のうち、展開状態でシャフト挿通孔２６Ａの内周縁から中心に向かって張り出した突片をその基端部で直角曲して、ラチェットギヤ２６の回転軸方向と平行に起立させた構造になっており、ラチェットギヤ２６の径方向で扁平な突片状をなしている。より詳細には、各連結突部２６Ｂは、ラチェットギヤ２６の回転軸と直交した切断面における断面が扁平な（長辺に対して短辺が極端に短い）長方形状をなしており、シャフト挿通孔２６Ａの内周縁を周方向で三等分した位置で接する３つの各接線とそれぞれ平行になっている（図５参照）。
【００２６】
そして、これら複数の連結突部２６Ｂが、蓋体２３の前面孔２３Ａを介して、巻取シャフト１２の一端面（詳細には、円筒ドラム１３の閉塞壁１３Ｃ）に形成された複数の凹凸係合孔１３Ｃ１に差し込まれ、これによりラチェットギヤ２６が巻取シャフト１２と一体回転可能に連結されている。以下、シャッターカーテン１５を閉じるとき（巻取シャフト１２から繰り出すとき）に巻取シャフト１２と共にラチェットギヤ２６が回転する方向を「閉方向Ｈ１」といい、シャッターカーテン１５を開くとき（巻取シャフト１２に巻き取るとき）に巻取シャフト１２と共にラチェットギヤ２６が回転する方向を「開方向Ｈ２」という。
【００２７】
ラチェットギヤ２６の外周面には、複数の係止歯２６Ｔが突出している。これら各係止歯２６Ｔは、ラチェットギヤ２６を開方向Ｈ２へ回動したときに回動方向の前側に向かって突出するように傾斜している。より詳細には、図５に示すように、係止歯２６Ｔのうちラチェットギヤ２６を開方向Ｈ２へ回動したときに前側を向く歯面は、後述するラチェットレバー３０の回動軸である第１回動支持シャフト３１を中心とした円弧形状の係止面２６Ｋになっている。一方、係止歯２６Ｔのうちラチェットギヤ２６を開方向Ｈ２へ回動したときに後側を向く歯面は、係止歯２６Ｔの先端に向かうに従って、隣の係止歯２６Ｔから離れるように傾斜した摺接面２６Ｓになっている。なお、ラチェットギヤ２６のうち係止歯２６Ｔを含む外縁部は、蓋体２３によって覆われている（図３参照）。
【００２８】
図３及び図４に示すように、ラチェットギヤ２６のシャフト挿通孔２６Ａの内側には、センターパイプ２４Ｐが備えられ、センターパイプ２４Ｐによってラチェットギヤ２６は回転可能に支持されている。センターパイプ２４Ｐは、図４に示すように、ハウジング２１の後端壁２１Ｘに一体形成されている。そして、センターパイプ２４Ｐの内側が前記したシャフト挿通孔２１Ａになっていて、そこに支持シャフト１１（図２参照）が挿通されている。
【００２９】
図５に示すように、ハウジング２１の側壁２１Ｓとラチェットギヤ２６との間には、第１回動支持シャフト３１と第２回動支持シャフト４１とが設けられている。第１回動支持シャフト３１及び第２回動支持シャフト４１は、両端部をハウジング２１の蓋体２３と後端壁２１Ｘとに支持されている。また、第１回動支持シャフト３１及び第２回動支持シャフト４１は、ラチェットギヤ２６の回転軸と平行に延び、例えば、ラチェットギヤ２６の回転中心周りに６０度程度、離れた位置に配置されている。
【００３０】
そして、ラチェットレバー３０が、第１回動支持シャフト３１を中心に回動可能に設けられる一方、解除保持レバー４０が、第２回動支持シャフト４１を中心に回動可能に設けられている。
【００３１】
ラチェットレバー３０は、第１回動支持シャフト３１から第２回動支持シャフト４１側に向かって延びている。また、ラチェットレバー３０の基端部には、第２回動支持シャフト４１から離れる側に突出した基端突部３４が備えられている。
【００３２】
ラチェットレバー３０のうち第２回動支持シャフト４１側の先端寄り位置からは、ラチェットギヤ２６に向かって係止爪３２が突出している。係止爪３２は、隣り合った係止歯２６Ｔ，２６Ｔの間の凹部形状に対応した略三角形になっていて、ラチェットレバー３０の回動半径方向に対して傾斜した斜面３２Ｓを第１回動支持シャフト３１側に備える一方、第１回動支持シャフト３１を中心とした円弧形状の係止面３２Ｋを第１回動支持シャフト３１から離れた側に備えている。そして、係止爪３２が係止歯２６Ｔに押し付けられるように付勢された状態（図６に示す状態）で、ラチェットギヤ２６が開方向Ｈ２の回転トルクを受けたときに、係止爪３２の係止面３２Ｋが何れかの係止歯２６Ｔの係止面２６Ｋに当接してラチェットレバー３０がラチェットギヤ２６に係止し、ラチェットギヤ２６の回転を禁止する。これにより、シャッターカーテン１５が開かないようにロックされる。また、図７に示すように、係止爪３２が係止歯２６Ｔから離れた状態になると、ラチェットレバー３０はラチェットギヤ２６に係止できなくなり、ラチェットギヤ２６の回転が許容される。
【００３３】
ラチェットレバー３０を、ラチェットギヤ２６に係止可能なラチェット有効位置（図６に示す位置）に向けて付勢するために、ラチェットレバー３０には、ラチェット摺接部材８０が一体回動可能に固定されている。ラチェット摺接部材８０は、ラチェットレバー３０のうちラチェットギヤ２６側を向いた外面からラチェットギヤ２６に向かって突出した１対の弾性対向片８１，８１（図４参照）を備え、それら弾性対向片８１，８１の間にラチェットギヤ２６を挟持している。また、図４に示すように、弾性対向片８１，８１のうち互いに対向する位置には、互いに接近する側に隆起した１対の摺接突部８１Ｔ，８１Ｔが設けられている。なお、ラチェット摺接部材８０は、板金をプレスで打ち抜きかつ折り曲げて成形されている。
【００３４】
ラチェット摺接部材８０は、図４に示すように、ラチェットレバー３０の第１回動支持シャフト３１における大径部分を取付片８４の取付孔に挿通して、取付片８４をラチェットレバー３０の側面に当接させかつ、１対の弾性対向片８１，８１を連絡した中央板部８３がラチェットレバー３０におけるラチェットギヤ２６側の外面に宛がわれた状態に組み付けられている。これにより、ラチェット摺接部材８０とラチェットレバー３０とが一体回動可能な状態になっている。
【００３５】
そして、ラチェットギヤ２６が開方向Ｈ２に回転したときに、ラチェット摺接部材８０とラチェットギヤ２６の側面との摩擦によってラチェットレバー３０がラチェット有効位置に付勢される。このとき、ラチェットレバー３０が受ける付勢力のことを、以下、「正の付勢力」という。また、ラチェットギヤ２６が閉方向Ｈ１に回転したときには、ラチェット摺接部材８０とラチェットギヤ２６の側面との摩擦によって、ラチェットレバー３０はラチェットギヤ２６に係止不能なラチェット無効位置に付勢される。
【００３６】
図４に示すように、ラチェットレバー３０のうち係止爪３２より第２回動支持シャフト４１側に突出した先端位置には、ハウジング２１の後側端面２１Ｒ側に向けて略円柱状の回動干渉部３３が突出している。
【００３７】
解除保持レバー４０は、ラチェットギヤ２６より後側端面２１Ｒ側に配置され、図５に示すように、第２回動支持シャフト４１から第１回動支持シャフト３１側に張り出した作用回動片４２とその第１回動支持シャフト３１と反対側に張り出した連結回動片４３とを備えたシーソー構造になっている。また、連結回動片４３のうち第２回動支持シャフト４１から離れた先端部からは、後端壁２１Ｘに向かって（図５〜図８における紙面奥側に向かって）連結片４３Ｔが突出している。また、解除保持レバー４０とハウジング２１との間には、トーションコイルバネ４６が設けられ（図４参照）、そのトーションコイルバネ４６の弾発力によって、解除保持レバー４０がその可動範囲のうち、作用回動片４２の先端部がラチェットギヤ２６の回動中心に最も接近した待機位置（図５及び６で示した位置）に付勢されている。
【００３８】
作用回動片４２の先端部の可動領域の一部と、回動干渉部３３の可動領域の一部とは重複している。ここで、作用回動片４２の先端部の可動領域と、回動干渉部３３の可動領域との重複部分を「干渉領域」と呼ぶと、解除保持レバー４０が待機位置（図６で示した位置）に配置された状態で、作用回動片４２の先端部は、干渉領域よりラチェットギヤ２６の回転中心側に外れた位置に配置される。そして、解除保持レバー４０が回動可能範囲のうち待機位置と反対側のロック解除位置（図６から時計回り方向に移動した位置）まで回動する間に、作用回動片４２の先端部における回動方向の前側を向いた跳上当接面４５が、回動干渉部３３をラチェットギヤ２６から離れる方向に押圧して、その回動干渉部３３が干渉領域の外に配置された最端寄りのラチェット無効位置（図７に示す位置）までラチェットレバー３０を回動させる。
【００３９】
作用回動片４２の先端には、作用回動片４２の回動半径方向を向き、中央が若干窪んだ先端突当面４４が備えられている。その先端突当面４４は、解除保持レバー４０がロック解除位置に位置した状態で干渉領域内に配置される。そして、ラチェットレバー３０が、開方向Ｈ２に回動するラチェットギヤ２６から回動干渉部３３を介して正の付勢力を受けることで、最端のラチェット無効位置からラチェット有効位置寄りの中間のラチェット無効位置へと移動したときに、先端突当面４４がラチェットレバー３０に当接し（図８参照）、第１と第２の回動支持シャフト３１，４１の間で、ラチェットレバー３０と解除保持レバー４０とが突っ張り状態に保持される。これにより、ラチェットレバー３０がラチェット無効位置に保持され、ロック解除状態が維持される。
【００４０】
図４に示すように、ハウジング２１のうち後側端面２１Ｒを構成する壁部（後端壁２１Ｘ及び後側板金６０）には、連結回動片４３の先端から突出した連結片４３Ｔの可動領域と対向する部分に操作孔２１Ｗが形成されている。操作孔２１Ｗは、第２回動支持シャフト４１を中心とした円弧状になっている。この操作孔２１Ｗに解除保持レバー４０の連結片４３Ｔが通され、ハウジング２１の後側端面２１Ｒから突出している。そして、トーションコイルバネ４６によって付勢された解除保持レバー４０は、連結片４３Ｔが操作孔２１Ｗの一端部に当接することで待機位置（図５及び図６に示す位置）に位置決めされる。
【００４１】
また、ハウジング２１の後端壁２１Ｘのうち操作孔２１Ｗの側方位置には、第２回動支持シャフト４１の後端部を支持した支持孔２１Ｂが貫通形成されており、後端壁２１Ｘに宛がわれた後側板金６０には、支持孔２１Ｂと同軸上に支持孔６０Ａが貫通形成されている。そして、その支持孔６０Ａに支持された支持ピン５１Ｊにて中継レバー５１が回動可能に支持されている。
【００４２】
中継レバー５１は、支持ピン５１Ｊから第１回動支持シャフト３１側に張り出した第１回動片５１Ａとその第１回動片５１Ａと反対側に張り出した第２回動片５１Ｂとを備えたシーソー構造になっている。また、第２回動片５１Ｂの上縁部からは、後側端面２１Ｒから離れるようにワイヤ連結片５１Ｃが突出している。ワイヤ連結片５１Ｃに連結されたワイヤー５３（図１参照）の先端は、シャッターカーテン１５の室内側に設けた図示しないロック解除操作部に連結されている。或いは、ワイヤ連結片５１Ｃからシャッターカーテン１５の室内側の引っ張り操作がし易い位置まで垂らされている。
【００４３】
また、中継レバー５１と後側端面２１Ｒとの間には、トーションコイルバネ５２が設けられ、そのトーションコイルバネ５２の弾発力によって、中継レバー５１がその可動範囲のうち、第１回動片５１Ａの先端部がラチェットギヤ２６の回動中心に近づく方向に付勢されている。即ち、中継レバー５１は、常には、第２回動片５１Ｂの先端部が、操作孔２１Ｗのうち支持シャフト１１から離れた側の端部に位置した原点位置に配置されている。そして、ロック解除操作部の操作或いはワイヤー５３の直接操作により、第２回動片５１Ｂを支持シャフト１１に近づけるようにワイヤー５３が引っ張られると、その過程で第２回動片５１Ｂの先端部が解除保持レバー４０の連結片４３Ｔを押圧する。これにより、解除保持レバー４０が待機位置からロック解除位置へと回動する。なお、後側板金６０には、支持孔６０Ａの側方部分を後方に切り起こしてなる位置決め片６０Ｂが設けられており、その位置決め片６０Ｂと第１回動片５１Ａの当接により、中継レバー５１が原点位置に位置決めされている。
【００４４】
本実施形態のシャッター用ロック装置２０の構成に関する説明は以上である。次に、シャッター用ロック装置２０の作用効果について説明する。本実施形態のシャッター用ロック装置２０では、シャッターカーテン１５が閉操作されてラチェットギヤ２６が閉方向Ｈ１のトルクを受けると、そのラチェットギヤ２６とラチェット摺接部材８０との摺接の摩擦によって、ラチェット摺接部材８０と一体回動可能なラチェットレバー３０が、ラチェットギヤ２６に係止不能なラチェット無効位置に付勢される。これにより、図５に示すように、シャッターカーテン１５を閉操作している間は、ラチェットレバー３０がラチェットギヤ２６から離間して係止することがなくなり、任意の位置までシャッターカーテン１５を閉めることができる。更に、シャッターカーテン１５を閉操作している間は、ラチェットレバー３０とラチェットギヤ２６とが接触しないので、静粛性に優れたものとすることができる。
【００４５】
一方、シャッターカーテン１５の閉操作を止めることに伴い、シャッターカーテン１５を巻き取る方向に付勢された巻取シャフト１２によりラチェットギヤ２６が開方向Ｈ２のトルクを受けると、そのラチェットギヤ２６とラチェット摺接部材８０との摺接の摩擦によって、ラチェットレバー３０がラチェットギヤ２６に係止可能なラチェット有効位置に付勢される。これにより、図６に示すように、ラチェットレバー３０がラチェットギヤ２６に係止し、任意の位置でシャッターカーテン１５を開かないようにロックすることができる。そのロックを解除してシャッターカーテン１５を開く場合には、例えば、シャッターカーテン１５の室内側にある図示しないロック解除操作部を操作する。このとき、ロック解除操作部を一度操作するとその過程で、解除保持レバー４０が、待機位置（図６に示した位置）からロック解除位置（図７に示した位置）へと回動して、ラチェットレバー３０をラチェット有効位置からラチェット無効位置へと移動させる。これにより、シャッターカーテン１５を開くことができるようになる。
【００４６】
ここで、ラチェットレバー３０は、解除保持レバー４０によってラチェット無効位置まで移動されたときには、その解除保持レバー４０との干渉領域から外れた最端寄りのラチェット無効位置まで移動する。そして、シャッターカーテン１５が開操作されると、それに伴って開方向Ｈ２に回動するラチェットギヤ２６とラチェット摺接部材８０との摩擦により、ラチェットレバー３０が、最端寄りのラチェット無効位置からラチェット有効位置寄り中間のラチェット無効位置へと移動する。すると、そのラチェットレバー３０の回動干渉部３３が、ロック解除位置に配置されている解除保持レバー４０の先端突当面４４に当接し、図８に示すように、第１と第２の回動支持シャフト３１，４１の間で、ラチェットレバー３０と解除保持レバー４０とが突っ張り状態に保持される。これにより、ラチェットレバー３０がラチェット無効位置に保持され、ロック解除状態が維持されるので、シャッターカーテン１５を自動的に巻き取ることができる。つまり、シャッターカーテン１５を自動的に開放することができる。
【００４７】
即ち、ロック解除操作部を一度操作するだけでロック解除状態が維持されるので、ロック解除操作部によるロック解除操作を行い続ける必要がなくなる。つまり、ロック解除操作を一度行いさえすれば、巻取シャフト１２に付与された付勢力のみでシャッターカーテン１５を開くことができる。また、ロック解除状態を解消するには、シャッターカーテン１５を閉操作するだけでよい。すると、そのシャッターカーテン１５の閉操作に伴って閉方向Ｈ１に回動するラチェットギヤ２６とラチェット摺接部材８０との摩擦により、ラチェットレバー３０が中間のラチェット無効位置から最端のラチェット無効位置へと移動し、解除保持レバー４０から離間する。そして、トーションコイルバネ４６の付勢により解除保持レバー４０が待機位置に戻る（図５参照）。
【００４８】
また、本実施形態のシャッター用ロック装置２０は、以下のようにしてシャッター巻取装置１０に取り付けることができる。即ち、ハウジング２１の前側端面２１Ｆを巻取シャフト１２の一端面に向けた状態で、シャフト挿通孔２１Ａに支持シャフト１１を挿通し、巻取シャフト１２の一端面を構成する円筒ドラム１３を貫通した凹凸係合孔１３Ｃ１に、ハウジング２１の前側端面２１Ｆから突出したラチェットギヤ２６の連結突部２６Ｂを挿入して凹凸係合させる。その凹凸係合状態で、ハウジング２１の固定片２２，２２に貫通形成されたボルト挿通孔２２Ｂ，２２Ｂと、支持シャフト１１を径方向で貫通した取付孔１１Ａの位置を合わせて、それらにボルトＮ３を挿通し、ボルトＮ３の先端にナット（図示せず）を締め付ける。これにより、シャッター用ロック装置２０が巻取シャフト１２と支持シャフト１１との間に連結され、ラチェットギヤ２６が巻取シャフト１２と一体回転可能に連結される。
【００４９】
このように、本実施形態のシャッター用ロック装置２０によれば、ラチェットギヤ２６を構成する板金の一部を曲げ起こして連結突部２６Ｂを形成し、その連結突部２６Ｂを薄板のプレス加工品（例えば、深絞り成形品）もしくはアルミダイカスト成形品である円筒ドラム１３と凹凸係合可能とした。ラチェットギヤ２６を構成する板金は、通常、円筒ドラム１３よりも強度が高いから、連結突部２６Ｂの強度不足を解消することができる。ここで、連結突部２６Ｂと凹凸係合する凹凸係合孔１３Ｃ１を円筒ドラム１３に設けることになるが、連結突片を円筒ドラム１３から直接曲げ起こした場合と比較すると、本実施形態のように凹凸係合孔１３Ｃ１を設けた場合の方が、強度を確保することが容易であるから、円筒ドラム１３に対して別途、アタッチメントを取り付ける必要はない。これにより、部品点数の増加を抑えつつ連結突部の強度不足を解消することが可能になる。
【００５０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５１】
（１）上記実施形態では、支持シャフト１１に対するシャッター用ロック装置２０の固定と、シャッターケースの左右の両側壁に固定された取付ベース（図示せず）に対する支持シャフト１１の固定とを別々に行う必要があったが、これらの固定を一度に行うことが可能な構成にしてもよい。
【００５２】
図９に示すように、取付ベース９０は、例えば、板金を直角曲げして形成されており、例えば、上面及び支持シャフト１１の軸方向の両側面が開放したコの字形の支持凹部９１と、支持凹部９１の各辺から側方に向かって直角に張り出した３つの敷設板９２とを備えている。取付ベース９０は、各敷設板９２を、図示しないシャッターケースの左右の両側壁又は住居の壁面に宛がって螺子により固定されており、支持凹部９１の内側に支持シャフト１１の端部を受け入れて支持するようになっている。
【００５３】
図１０に示すように、支持凹部９１のうち底壁９１Ａから直角に起立した１対の対向側壁９１Ｂ，９１Ｂには、それぞれボルト挿通孔９１Ｃ，９１Ｃが貫通形成されている。そして、シャッター用ロック装置２０に備えた固定片２２，２２と支持シャフト１１の外周面との間に、取付ベース９０の対向側壁９１Ｂ，９１Ｂを挟んだ状態で、同軸上に配置された固定片２２のボルト挿通孔２２Ｂ，２２Ｂと、取付ベース９０のボルト挿通孔９１Ｃ，９１Ｃと、支持シャフト１１を径方向で貫通した取付孔１１Ａとに共通のボルトＮ３が挿通されて、ボルトＮ３の先端部にナットＭ１が締め付けられている。
【００５４】
このような構成にすれば、取付ベース９０に対する支持シャフト１１の固定と、支持シャフト１１に対するシャッター用ロック装置２０の固定とを共通のボルトＮ３及びナットＭ１で行うことができるから、部品点数の削減及び作業の軽減を図ることができる。
【００５５】
（２）上記一実施形態では、シャッター用ロック装置２０のハウジング２１を支持シャフト１１に固定していたが、ハウジング２１をシャッターケースの一方の側壁又は住居の壁面に固定してもよい。また、シャッター用ロック装置２０は、ハウジング２１を備えていなくてもよく、ラチェットギヤ２６、ラチェットレバー３０、解除保持レバー４０、中継レバー５１等のハウジング２１に組み付けられていた部品を平板状の取付板に組み付けて、その取付板をシャッターケースの側壁や、住居の壁面に固定可能としてもよい。
【００５６】
（３）上記一実施形態では、ロック解除操作部に対する操作力をワイヤー５３を介して中継レバー５１に伝達するか又は、ワイヤー５３を直接引っ張ることにより、中継レバー５１が回動する構成であったが、例えば、モータ等のアクチュエータの動力で中継レバー５１を回動させる構成にしてもよい。このとき、アクチュエータをシャッター用ロック装置２０と同軸横並びになるように支持シャフト１１に取り付けて、室内に配置したスイッチにてアクチュエータを遠隔操作可能にしてもよい。また、アクチュエータは、巻取シャフト１２に巻き取られて円筒状になったシャッターカーテン１５の内側に配置されるような寸法にするとより好ましい。
【００５７】
（４）上記一実施形態では、ラチェットギヤ２６から曲げ起こされた連結突部２６Ｂが突片状をなしていたが軸状でもよい。
【００５８】
（５）上記一実施形態では、複数の連結突部２６Ｂを均等な間隔で設けていたが、不均等な間隔で設けてもよい。
【００５９】
（６）上記一実施形態では、連結突部２６Ｂが、ラチェットギヤ２６におけるシャフト挿通孔２６Ａの内周縁から曲げ起こされていたが、ラチェットギヤ２６を構成する板金のうち、シャフト挿通孔２６Ａの内周縁と係止歯２６Ｔが形成された外周縁との中間部分の壁部を切り起こして連結突部２６Ｂを形成してもよい。
【００６０】
（７）また、上記実施形態では、シャッター巻取装置１０の一例として、円筒ドラム１３を巻取ロール１２Ｄの端部に固定した構造のものを例示したが、これ以外の構造のシャッター巻取装置に対して本発明のシャッター用ロック装置２０を取り付けて使用してもよい。例えば、支持シャフト１１の両端部（及びその中間部）に配置した回転円板同士の間を複数の帯状金属板で連結してなる「かご形構造」の巻取芯部材を備えたシャッター巻取装置に、本発明のシャッター用ロック装置２０を取り付けて使用してもよい。
【符号の説明】
【００６１】
１１    支持シャフト
１２    巻取シャフト（巻取芯部材）
１３    円筒ドラム
１３Ｃ１    凹凸係合孔
１５    シャッターカーテン
２０    シャッター用ロック装置
２６    ラチェットギヤ
２６Ａ    シャフト挿通孔
２６Ｂ    連結突部
【図１】
2013167087.tif 000003
【図２】
2013167087.tif 000004
【図３】
2013167087.tif 000005
【図４】
2013167087.tif 000006
【図５】
2013167087.tif 000007
【図６】
2013167087.tif 000008
【図７】
2013167087.tif 000009
【図８】
2013167087.tif 000010
【図９】
2013167087.tif 000011
【図１０】
2013167087.tif 000012